(57)【要約】【課題】基材に対してガスケットをどの方向からも着脱でき、またガスケットが基材に安定して保持される引き戸式防熱扉用パッキング材を提供する。【解決手段】パッキング材１は、長尺のアルミ押し出し型材からなる基材２と、この基材２に着脱自在に取り付けられる長尺の弾性樹脂製ガスケット３とを具備する。基材２は防熱扉４１の周縁部にねじで固着される。ガスケット３は、基材２の短尺方向両側の嵌合溝７に一対装着される。基材２は、嵌合溝７の両側壁８から突出する係合フランジ９、係合フランジ９の表面と両側壁８の内側面とで形成される係合段部１０を有する。ガスケット３は、嵌合溝７に嵌合される嵌合部１１と、嵌合部１１から延出する一対のヒレ板部１２とを具備する。嵌合部１１は、基底板部１３と、一対の突縁１４と、一対の傾斜板部１５と、一対の係合突片１６とを具備する。ガスケット３は、嵌合溝７に表面側から押し込んで嵌合可能である。【選択図】図１
2012026214.tif 000002
【特許請求の範囲】
【請求項１】
冷蔵室の開口を開閉する引き戸式防熱扉の周縁部に取り付けられ、閉鎖時に開口周囲の壁面との間を密閉するパッキング材であって、
前記壁面に対向する防熱扉の取り付け面に密着する平滑な裏面とその反対側の表面を有し、防熱扉の周縁部にねじで固着される長尺のアルミ押し出し型材からなる基材と、この基材に着脱自在に取り付けられる長尺の一対の弾性樹脂製ガスケットとを具備し、
前記基材は、表面側に開放して長手方向に延び、ガスケットの基部を着脱可能に嵌合させる一対の嵌合溝と、この嵌合溝の開放側端より溝底側へ所定距離寄った位置において嵌合溝の両側壁から相対向して突出する係合フランジと、この係合フランジの表面と両側壁の内側面とで形成される係合段部とを具備し、
前記ガスケットは、前記基材の嵌合溝に嵌合される嵌合部と、この嵌合部の短尺方向両縁から互いにほぼ平行に延出して長手方向に延びる一対のヒレ板部とを具備し、
前記ガスケットの嵌合部は、前記一対のヒレ板部の基端側を接続する基底板部と、この基底板部の短尺方向両縁から突出して前記基材の係合段部に当接する一対の突縁と、基底板部を一辺とし頂点が前記基材における嵌合溝の溝底に当接する三角筒を形成するように基底板部の両縁部から嵌合溝内へ延びる一対の傾斜板部と、この傾斜板部から基底板部側へ互いに広がるように傾斜して延出し先端が前記係合フランジの裏面に当接する係合突片とを具備し、嵌合溝に表面側から押し込んで嵌合可能に構成されることを特徴とする引き戸式防熱扉用パッキング材。
【発明の詳細な説明】
【技術分野】
【０００１】
この発明は、冷蔵室の開口を開閉する引き戸式防熱扉の周縁部に取り付けられ、閉鎖時に開口周囲の壁面との間を密閉するパッキング材に関する。
【背景技術】
【０００２】
冷蔵室の開口を開閉する引き戸式の防熱扉は、開口の上に水平に架設されたガイドレールに吊られて冷蔵室の壁面に沿って移動自在であり、また閉鎖位置においては周縁部が開口周辺の壁面に密着し、断熱するようになっている。断熱効果を高めるため、防熱扉の周縁の壁面と対向する面に図６に示すようなパッキング材が取り付けられる（例えば特許文献１の図４参照）。このパッキング材３１は、防熱扉４１の周縁部に固着される長尺のアルミ押し出し型材からなる基材３２と、この基材に着脱自在に取り付けられる長尺の弾性樹脂製ガスケット３３とを具備する。基材３２は、ガスケット３３を保持する嵌合溝３４を有する。嵌合溝３４は、断面ほぼ円形で、表面側に縊部３５を介して開放し、長手方向に延びる。ガスケット３３は、基材３２の嵌合溝３４に嵌合される断面ほぼ円形の嵌合部３６と、この嵌合部３６から延出して長手方向に延びるヒレ板部３７とを具備する。
【先行技術文献】
【特許文献】
【０００３】
【特許文献１】特公平６−６０７８３号公報
【発明の概要】
【発明が解決しようとする課題】
【０００４】
上記従来のパッキング材３１においては、ガスケット３３を基材３２に装着するのに、ガスケット３３の長手方向一端を基材３２の長手方向一端から嵌合溝３４に差し込み全長に渉って送り込んでいく必要がある。このため、ガスケット３３の装着が面倒であるし、基材３２を扉に固着した後では、基材３２の端部が塞がれているため、ガスケット３３を着脱することができないという問題点がある。
したがって、この出願に係る発明は、基材に対してガスケットをどの方向からも着脱でき、またガスケットが基材に安定して保持される引き戸式防熱扉用パッキング材を提供することを目的としている。
【課題を解決するための手段】
【０００５】
以下、添付図面の符号を参照して説明するが、本発明はこれに限定されるものではない。
上記課題を解決するための、この出願に係る発明のパッキング材１は、長尺のアルミ押し出し型材からなる基材２と、この基材２に着脱自在に取り付けられる長尺の弾性樹脂製ガスケット３とを具備する。基材２は、防熱扉４１の取り付け面４４に密着する平滑な裏面４とその反対側の表面５を有し、防熱扉４１の周縁部にねじで固着される。ガスケット３は、基材２の短尺方向両側に一対装着される。基材２は、ガスケット３の基部を着脱可能に嵌合させる短尺方向両側一対の嵌合溝７を有する。嵌合溝７は、表面側に開放して長手方向に延びる。この嵌合溝７の開放側端より溝底側へ所定距離寄った位置において嵌合溝７の両側壁８から相対向して突出するように係合フランジ９が形成される。また、この係合フランジ９の表面と両側壁８の内側面とで係合段部１０が形成される。ガスケット３は、基材２の嵌合溝７に嵌合される嵌合部１１と、嵌合部１１から延出する一対のヒレ板部１２とを具備する。ヒレ板部１２は、嵌合部１１の短尺方向両縁から互いにほぼ平行に延出して長手方向に延びる。嵌合部１１は、一対のヒレ板部１２の基端側を接続する基底板部１３と、一対の突縁１４と、一対の傾斜板部１５と、一対の係合突片１６とを具備する。一対の突縁１４は、基底板部１３の短尺方向両縁から突出して基材２の係合段部１０に当接する。一対の傾斜板部１５は、基底板部１３の両縁部から嵌合溝７内へ延び、基底板部１３を一辺とし頂点が嵌合溝７の溝底に当接する三角筒を形成する。係合突片１６は、傾斜板部１５から基底板部１３側へ互いに広がるように傾斜して延出し、先端が係合フランジ９の裏面に当接する。したがって、ガスケット３は、嵌合溝７に表面側から押し込んで嵌合可能に構成される。
【発明の効果】
【０００６】
この出願に係る発明の装置によれば、基材２に対してガスケット３をどの方向からも着脱でき、またガスケット３が基材２に安定して保持される引き戸式防熱扉用パッキング材を提供することができる。
【図面の簡単な説明】
【０００７】
【図１】本発明に係るパッキング材の断面図である。
【図２】図１のパッキング材の一部の斜視図である。
【図３】図１のパッキング材における基材の断面図である。
【図４】図１のパッキング材におけるガスケットの断面図である。
【図５】図１のパッキング材の使用状態を示す断面図である。
【図６】従来のパッキング材の断面図である。
【発明を実施するための形態】
【０００８】
図面を参照してこの発明の実施の形態を説明する。
図５に示すように、パッキング材１は、冷蔵室の開口４２を開閉する引き戸式防熱扉４１の周縁部に取り付けられ、閉鎖時に開口周囲の壁面４３との間を密閉する。パッキング材１は、長尺のアルミ押し出し型材からなる基材２と、この基材２に着脱自在に取り付けられる長尺の弾性樹脂製ガスケット３とを具備する。
【０００９】
基材２は、防熱扉４１の取り付け面（壁面４３と対向する面）４４に密着する平滑な裏面４とその反対側の表面５を有し、防熱扉４１の周縁部にねじ６で固着される。ガスケット３は、基材２の短尺方向両側に一対装着される。
【００１０】
図１ないし図３に示すように、基材２は、ガスケット３の基部を着脱可能に嵌合させる短尺方向両側一対の嵌合溝７を有する。嵌合溝７は、表面５側に開放して長手方向に延びる。この嵌合溝７の開放側端より溝底側へ所定距離寄った位置において嵌合溝７の両側壁８から相対向して突出するように係合フランジ９が形成される。また、この係合フランジ９の表面と両側壁８の内側面とで係合段部１０が形成される。
【００１１】
ガスケット３は、基材２の嵌合溝７に嵌合される嵌合部１１と、嵌合部から延出する一対のヒレ板部１２とを具備する。ヒレ板部は、嵌合部の短尺方向両縁から互いにほぼ平行に延出して長手方向に延びる。
【００１２】
嵌合部１１は、一対のヒレ板部１２の基端側を接続する基底板部１３と、一対の突縁１４と、一対の傾斜板部１５と、一対の係合突片１６とを具備する。一対の突縁１４は、基底板部１３の短尺方向両縁から突出して基材２の係合段部１０に当接するように構成される。一対の傾斜板部１５は、基底板部１３の両縁部から嵌合溝内７へ延び、基底板部１３を一辺とし頂点が嵌合溝７の溝底に当接する三角筒を形成する。係合突片１６は、傾斜板部１５から基底板部１３側へ互いに広がるように傾斜して延出し、先端が係合フランジ９の裏面に当接するように構成される。
【００１３】
したがって、ガスケット３は、嵌合部１１を弾性的に変形させながら、表面５側から嵌合溝７に押し込んで嵌合可能である。一対のガスケット３のそれぞれが一対のヒレ板部１２を有するので、基材に装着するガスケットの数を減じることができる。図１において、ガスケット３は、一対の突縁１４と一対の係合突片１６とで、基材２の係合フランジ９の表裏に４点で当接し、また突縁１４が段部１０に嵌ることにより、ヒレ板部１２の柔軟性と復元性を確保し、安定して基材２に保持される。
【符号の説明】
【００１４】
１    パッキング材
２    基材
３    ガスケット
４    裏面
５    表面
６    ねじ
７    嵌合溝
８    側壁
９    係合フランジ
１０  段部
１１  嵌合部
１２  ヒレ板部
１３  基底板部
１４  突縁
１５  傾斜板部
１６  係合突片
【図１】
2012026214.tif 000003
【図２】
2012026214.tif 000004
【図３】
2012026214.tif 000005
【図４】
2012026214.tif 000006
【図５】
2012026214.tif 000007
【図６】
2012026214.tif 000008